(57)【要約】  内部空間ができるだけ狭くならないようにしつつ、効果的に防水を行う。光源（１６ａ）と、第１の窓部（１１ａ）を有する可動部（１１）と、回路基板（１６）と、可動部（１１）の表面が突き出る開口部（１２ｂ）が形成された筐体（１２，１３，１４，１５）とを備え、筐体（１２，１３，１４，１５）は、可動部（１１）と組み合わされて、筐体（１２，１３，１４，１５）の内部空間を第１の空間と第２の空間とに分離する分離壁（１２ｄ，１３ａ）を有し、分離壁（１２ｄ，１３ａ）は、可動部（１１）を支持するものであり、光源（１６ａ）は、透過性部材で形成された分離壁（１２ｄ，１３ａ）の一部（１２ｄ）を介して、第１の窓部（１１ａ）を照明する。
2015087366.tif 000002
【特許請求の範囲】
【請求項１】
光源と、
前記光源からの光を透過させる窓部が形成された可動部と、
前記可動部の動きに応じた信号を出力する回路基板と、
前記可動部の表面が突き出る開口部が形成され、前記光源、前記可動部、前記回路基板を収容する筐体と、を備え、
前記筐体は、前記可動部と組み合わされることにより、前記筐体の内部空間を第１の空間と第２の空間とに分離する分離壁を有し、該分離壁は、前記可動部を可動可能に支持するものであり、
前記可動部は、前記第１の空間側から前記分離壁と組み合わされ、前記光源、および、前記回路基板は、前記第２の空間に配置され、
前記分離壁の一部は前記光源からの光を透過させる透過性部材により形成され、前記光源は、前記透過性部材を介して前記窓部を照明する、
可動部付電子部品。
【請求項２】
前記可動部は、外周が円弧状の壁面部を有する回転部材である請求項１に記載の可動部付電子部品。
【請求項３】
前記壁面部の外側に前記窓部が設けられ、前記壁面部の内側にレンズが形成された請求項２に記載の可動部付電子部品。
【請求項４】
前記壁面部の外側に前記窓部が設けられ、前記壁面部の内側に斜面が形成された請求項２に記載の可動部付電子部品。
【請求項５】
前記可動部には円筒状の回転軸が形成され、前記分離壁には前記回転軸を回転可能に外側から支持する円筒状の軸受壁が、前記分離壁の本体部分から前記第１の空間側に突き出るように形成され、前記分離壁の本体部分から突き出た前記軸受壁の側面は、前記透過性部材により形成された前記分離壁を支持する請求項２に記載の可動部付電子部品。
【請求項６】
前記第２の空間に前記光源とは別の光源が設けられ、前記筐体には、前記別の光源からの光を透過させる窓部が形成されている請求項１に記載の可動部付電子部品。
【請求項７】
前記筐体には、前記光源からの光を透過させる窓部が形成され、前記光源は、前記第２の空間において前記筐体に形成された窓部を照明するとともに、前記透過性部材を介し、前記第１の空間において前記可動部に形成された窓部を照明する請求項１に記載の可動部付電子部品。
【請求項８】
前記筐体は、少なくとも２つの部材を組み合わせて構成され、該２つの部材の間にシール材を有する請求項１に記載の可動部付電子部品。
【発明の詳細な説明】
【技術分野】
【０００１】
本発明は、点灯する窓部が形成された可動部が筐体の開口部から突き出るように配置され、その可動部が、操作者の操作により可動する可動部付電子部品に関する。
【背景技術】
【０００２】
従来、回転する可動部を備えた電子部品が広く普及している。例えば、このような電子部品として、車のヒートシーターの温度調節を行うためのダイヤルを備えた電子部品や、デジタルカメラの露出を調節するためのダイヤルを備えた電子部品などが挙げられる。【０００３】
このような電子部品では、指による可動部の回転操作を可能とするため、可動部を収容する筐体に開口部が形成され、可動部は、その開口部から突き出るように配置される。【０００４】
この場合、筐体と可動部との間に隙間ができるため、電子部品の上に液体をこぼすと、その隙間から液体が電子部品の内部に侵入し、電子部品の故障を引き起こす可能性がある。【０００５】
そのため、特許文献１には、可動部側にリング状の凸部を設け、筐体側にリング状の凹部を設け、その凹部内に凸部を挿入することにより、液体の侵入を防止する電子部品の防滴構造が開示されている。【０００６】
また、特許文献１の電子部品以外に、可動部の一部が点灯する電子部品もある。例えば、特許文献２、３には、回転する可動部の表面に形成された抜き文字が光る回転式電子部品の防滴構造が開示されている。【０００７】
特許文献２に開示された防滴構造では、筐体の開口部と可動部との間の隙間にゴム状防滴板を配置して隙間を密閉することにより、内部に液体が侵入することを防止する。【０００８】
また、特許文献３に開示された防滴構造では、可動部が取り付けられる機械的動作構成部品とは別に、電気的動作構成部品をユニット化することにより、電気的動作構成部品の電気的機能部に液体が侵入することを防止する。【０００９】
そして、これらの回転式電子部品の内部には、透光性の合成樹脂からなり、先端部分が可動部の下部まで伸びる導光部が設けられる。発光素子が発光した光は、導光部によりその先端部分に導かれる。そして、その先端部分から出る光により、可動部の表面に形成された抜き文字が照明される。
【先行技術文献】
【特許文献】
【００１０】
【特許文献１】特開２００８−１２３９０４号公報
【特許文献２】特開２０１１−１３４５７３号公報
【特許文献３】特開２０１０−００９９３７号公報
【発明の概要】
【発明が解決しようとする課題】
【００１１】
しかしながら、特許文献２に記載の従来技術では、液体の侵入を防ぐために用いられるゴム状防滴板と、抜き文字を照らし出すために用いられる導光板とが別々に設けられているため、回転式電子部品の内部空間が狭くなり、他の部品を配置することが難しくなる。【００１２】
また、特許文献３に記載の従来技術でも同様に、可動部を支持するために用いられる防水ケースと、抜き文字を照らし出すために用いられる導光板とが別々に設けられているため、回転式電子部品の内部空間が狭くなり、他の部品を配置することが難しくなる。【００１３】
そのため、点灯する可動部を有する可動部付電子部品において、内部空間ができるだけ狭くならないようにしつつ、いかに効果的に防水を行うことができるかが重要な課題となっている。【００１４】
本発明は、上述した課題を解決するためになされたものであり、内部空間ができるだけ狭くならないようにしつつ、効果的に防水を行うことが可能な可動部付電子部品を実現することを目的とする。
【課題を解決するための手段】
【００１５】
本発明の可動部付電子部品は、光源と、光源からの光を透過させる窓部が形成された可動部と、可動部の動きに応じた信号を出力する回路基板と、可動部の表面が突き出る開口部が形成され、光源、可動部、回路基板を収容する筐体と、を備え、筐体は、可動部と組み合わされることにより、筐体の内部空間を第１の空間と第２の空間とに分離する分離壁を有し、分離壁は、可動部を可動可能に支持するものであり、可動部は、第１の空間側から分離壁と組み合わされ、光源、および、回路基板は、第２の空間に配置され、分離壁の一部は光源からの光を透過させる透過性部材により形成され、光源は、透過性部材を介して窓部を照明する。
【発明の効果】
【００１６】
本発明によれば、内部空間ができるだけ狭くならないようにしつつ、効果的に防水を行うことが可能な可動部付電子部品を実現することができる。
【図面の簡単な説明】
【００１７】
【図１】本発明の実施形態１に係る可動部付電子部品の構成の一例を示す斜視図
【図２】本発明の実施形態１に係る可動部付電子部品の構成の一例を示す分解組み立て図
【図３】図１、図２に示した可動部付電子部品の構成の第１の例を示す断面図
【図４】可動部付電子部品の構成の第２の例を示す断面図
【図５】可動部付電子部品の構成の第３の例を示す断面図
【図６】図５に示した可動部付電子部品における第１の窓部の輝度を示す図
【図７】図４に示した可動部付電子部品における第１の窓部の輝度を示す図
【図８】図３に示した可動部付電子部品における第１の窓部の輝度を示す図
【図９】本発明の実施形態２に係る可動部付電子部品の構成の一例を示す断面図
【発明を実施するための形態】
【００１８】
以下に、本発明の実施形態について、図面を参照して詳細に説明する。
【００１９】
（実施形態１）
図１は、本発明の実施形態１に係る可動部付電子部品１０の構成の一例を示す斜視図である。また、図２は、本発明の実施形態１に係る可動部付電子部品１０の構成の一例を示す分解組み立て図である。
【００２０】
以下では、可動部付電子部品１０が、車のヒートシーターの温度調節を行うためのダイヤルを備えた電子部品である場合について説明する。しかし、可動部付電子部品１０はこれに限定されるものではなく、可動部を有する他の電子部品であってもよい。
【００２１】
図１、図２に示すように、この可動部付電子部品１０は、可動部１１、ベゼル１２、第１筐体部材１３、第２筐体部材１４、第３筐体部材１５、回路基板１６、スライダー１７、クリックバネ１８、防水ゴム１９を備える。
【００２２】
可動部１１は、後に説明する光源１６ａからの光を透過させる第１の窓部１１ａが形成されたダイヤルである。また、この可動部１１には、円筒状の回転軸１１ｂが形成される。そして、この回転軸１１ｂが、第１筐体部材１３の開口部１３ｂに回転自在にはめ込まれる。
【００２３】
さらに、回転軸１１ｂには、スライダー１７が取り付けられる。このスライダー１７は、可変抵抗器の一部を構成する部材である。後に説明する回路基板１６上には抵抗体（図示せず）が形成され、スライダー１７と抵抗体により可変抵抗器が構成される。
【００２４】
具体的には、スライダー１７は、可動部１１の回転に応じて、上記抵抗体の上をスライドし、可変抵抗器からの出力電圧を変化させる。そして、この出力電圧に応じて、ヒートシーターの温度が制御される。
【００２５】
この可動部１１は、例えば、透明なＡＢＳ（Acrylonitrile Butadiene Styrene）樹脂により形成される。そして、第１の窓部１１ａからのみ光源１６ａからの光が透過するよう、ベゼル１２の開口部１２ｃから突き出る可動部１１の外側表面のうち、第１の窓部１１ａ以外の部分が黒く塗装される。
【００２６】
ベゼル１２は、光源１６ａ〜１６ｃ、可動部１１、および、回路基板１６などを収容する筐体の一部を形成する筐体部材である。このベゼル１２には、光源１６ｂからの光を透過させる第２の窓部１２ａ、後に説明する光源１６ｃからの光を透過させる第３の窓部１２ｂ、および、開口部１２ｃが形成される。
【００２７】
ベゼル１２は、例えば、透明なＡＢＳ樹脂により形成される。そして、第２の窓部１２ａ、および、第３の窓部１２ｂからのみ光源１６ｂ、および、光源１６ｃからの光がそれぞれ透過するよう、第２の窓部１２ａ、および、第３の窓部１２ｂ以外のベゼル１２外側の表面部分が黒く塗装される。また、開口部１２ｃには、可動部１１が、開口部１２ｃから突き出るように配置される。これにより、可動部１１を指で回転させることが可能となる。
【００２８】
この可動部付電子部品１０では、第１の窓部１１ａ、第２の窓部１２ａ、第３の窓部１２ｂに光源１６ａ、光源１６ｂ、光源１６ｃをそれぞれ割り当てることにより、第１の窓部１１ａ、第２の窓部１２ａ、第３の窓部１２ｂを明るく点灯させることができる。
【００２９】
第１筐体部材１３もまた、筐体の一部を形成する筐体部材である。第１筐体部材１３は、壁面部１３ａ、開口部１３ｂ、軸受壁１３ｃ、および、ターミナル１３ｄを備える。
【００３０】
壁面部１３ａは、可動部１１、および、ベゼル１２に設けられた後述の支持壁１２ｄと組み合わされることにより、可動部付電子部品１０の筐体の内部空間を、第１の空間と第２の空間とに分離する。
【００３１】
すなわち、壁面部１３ａと支持壁１２ｄとは、可動部１１と組み合わされることにより、筐体の内部空間を第１の空間と第２の空間とに分離する分離壁を構成する。
【００３２】
ここで、筐体は、ベゼル１２、第１筐体部材１３、第２筐体部材１４、第３筐体部材１５を組み合わせて構成される。また、第１の空間とは、可動部１１の本体部分が存在する側の空間を指し、第２の空間とは、光源１６ａ〜１６ｃ、回路基板１６が配置される側の空間を指すものとする。
【００３３】
また、開口部１３ｂには、前述のように、可動部１１の回転軸１１ｂが回転自在に挿入される。軸受壁１３ｃは、円筒状の壁面部であり、壁面部１３ａの本体部分から第１の空間側に突き出るように形成される。そして、軸受壁１３ｃは、回転軸１１ｂと面接触して、回転軸１１ｂを回転可能に外側から支持する。
【００３４】
ターミナル１３ｄは、回路基板１６に設けられた電極１６ｄと接合される。このターミナル１３ｄから、可動部１１の回転角に応じた信号が出力される。
【００３５】
第２筐体部材１４、第３筐体部材１５はそれぞれ、筐体の一部を形成する筐体部材である。第３筐体部材１５には、開口部１５ａが形成される。この開口部１５ａには、可動部１１の回転軸（図示せず。回転軸１１ｂが設けられた側と反対側に設けられた回転軸）が回転自在に挿入される。
【００３６】
回路基板１６は、回路基板１６上に設けられた光源１６ａ〜１６ｃに電力を供給するとともに、可動部１１の動きに応じた信号を、電極１６ｄから出力する。具体的には、回路基板１６は、可動部１１の動きに応じた可変抵抗器の電圧信号を、電極１６ｄからターミナル１３ｄを介して外部に出力する。光源１６ａ〜１６ｃは、例えば、ＬＥＤ（Light Emitting Diode）光源である。
【００３７】
スライダー１７は、前述のように、可変抵抗器の一部を構成する部材であり、可動部１１の回転に応じて、抵抗体の上をスライドし、可変抵抗器からの出力電圧を変化させる。
【００３８】
クリックバネ１８は、可動部１１に取り付けられ、可動部１１とともに回転するバネである。このクリックバネ１８は、少なくとも１つの突起（図２の例では２つ）を有する。一方、第３筐体部材１５の開口部１５ａ内にも突起が形成されている。
【００３９】
そして、開口部１５ａに形成された突起の上をクリックバネ１８の突起が通過することにより、可動部１１の操作者にクリック感を感じさせることができる。例えば、スイッチオフに相当する回転角でクリック感が生じるように開口部１５ａの突起を形成しておけば、スイッチオフの操作ができたか否かを操作者が容易に確認することができる。
【００４０】
防水ゴム１９は、ベゼル１２と第１筐体部材１３との間に配置されるシール材である。ベゼル１２が第１筐体部材１３と組み合わされる際、防水ゴム１９が第１筐体部材１３に押し付けられる。これにより、ベゼル１２と第１筐体部材１３との間から液体が侵入することを抑制することができる。
【００４１】
ここで、上述した分離壁の一部は、光源１６ａからの光を透過させる透過性部材により形成される。そして、光源１６ａは、透過性部材を介し、第１の空間において第１の窓部１１ａを照明する、この点に関して、以下に詳しく説明する。
【００４２】
図３は、図１、図２に示した可動部付電子部品１０の構成の第１の例を示す断面図である。図３に示す断面は、図１に示した可動部付電子部品１０を、第１の窓部１１ａの中心を通るｘ−ｙ平面で切断した場合の断面図である。
【００４３】
図３に示すように、光源１６ｂと第２の窓部１２ａとの間には光の進行を妨げるものはないため、光源１６ｂから出た光は、第２の窓部１２ａを照明する。これにより、第２の窓部１２ａが点灯する。同様に、図３には示されていないが、図２に示した第３の窓部１２ｂは、光源１６ｃから出た光により照明される。これにより、第３の窓部１２ｂが点灯する。
【００４４】
一方、光源１６ａと第１の窓部１１ａとの間には、ベゼル１２を支持する支持壁１２ｄ、および、外周が円弧状の壁面部１１ｃが存在する。ここで、支持壁１２ｄは、ベゼル１２の一部であり、壁面部１１ｃは可動部１１の一部である。
【００４５】
前述のように、ベゼル１２は、透明なＡＢＳ樹脂により形成されるため、支持壁１２ｄは光源１６ａから出た光を透過する。また、可動部１１も、透明なＡＢＳ樹脂により形成されるため、壁面部１１ｃは光源１６ａから出た光を透過する。そのため、光源１６ａから出た光は、第１の窓部１１ａを照明することができる。
【００４６】
また、回路基板１６が存在する第２の空間は、支持壁１２ｄ、可動部１１、壁面部１３ａにより可動部１１の本体部分が存在する第１の空間と分離されているので、たとえ第１の空間に液体が侵入したとしても、それが第２の空間まで侵入することを防止することができる。
【００４７】
このように、本実施形態に係る可動部付電子部品１０は、筐体の内部空間を第１の空間と第２の空間とに分離する分離壁を有する。この分離壁は、壁面部１３ａと支持壁１２ｄとが、可動部１１と組み合わされることにより形成される。そして、支持壁１２ｄは、光源１６ａから出た光を透過させる透過性部材により形成され、支持壁１２ｄを透過した光により第１の窓部１１ａが照明される。
【００４８】
すなわち、支持壁１２ｄは、可動部１１がある第１の空間から、回路基板１６がある第２の空間に液体が侵入することを防止するものであるとともに、可動部１１に設けられた第１の窓部１１ａを点灯させるものでもある。
【００４９】
そのため、第１の窓部１１ａに光を導く透過性部材を、分離壁と独立に設ける必要がなくなる。よって、可動部付電子部品１０の内部空間が狭くならないようにしつつ、防水を効果的に行うことができる。
【００５０】
また、壁面部１３ａには、可動部１１の回転軸１１ｂを回転可能に外側から支持する円筒状の軸受壁１３ｃが、可動部１１がある第１の空間側に、壁面部１３ａの本体部分から突き出るように形成されている。
【００５１】
このように、軸受壁１３ｃが第１の空間側に突き出ることにより、流体が第２の空間に侵入するために必要な移動距離が長くなるので、軸受壁１３ｃと回転軸１１ｂの隙間から、回路基板１６が存在する第２の空間に液体が侵入することをより確実に防止することができる。
【００５２】
また、ベゼル１２の支持壁１２ｄは、壁面部１３ａから突き出た軸受壁１３ｃの側面上に配置すればよい。そのため、支持壁１２ｄの配置位置を柔軟に決定することができる。
【００５３】
例えば、支持壁１２ｄの配置位置を第１の空間側に移動させることとすれば、第２の空間をより広くすることができ、光源１６ａの配置等の設計の自由度をさらに増加させることができる。
【００５４】
また、図３の例では、可動部１１における壁面部１１ｃの外側に第１の窓部１１ａが設けられ、壁面部１１ｃの内側にレンズ１１ｄが形成されている。このレンズ１１ｄは、支持壁１２ｄを透過した光を第１の窓部１１ａに集めるものである。これにより、第１の窓部１１ａをより明るく点灯させることができる。
【００５５】
なお、壁面部１１ｃの内側にレンズ１１ｄを形成するのではなく、斜面を形成することとしてもよい。図４は、可動部付電子部品１０の構成の第２の例を示す断面図である。図４に示す断面も、図１に示した可動部付電子部品１０を、第１の窓部１１ａの中心を通るｘ−ｙ平面で切断した場合の断面図である。
【００５６】
図４の構成においても、軸受壁１３ｃが第１の空間側に突き出ることにより、軸受壁１３ｃと回転軸１１ｂの隙間から、回路基板１６が存在する第２の空間に液体が侵入することをより確実に防止することができる。
【００５７】
また、ベゼル１２の支持壁１２ｄは、壁面部１３ａから突き出た軸受壁１３ｃの側面上に配置すればよい。そのため、支持壁１２ｄの配置位置を柔軟に決定することができる。
【００５８】
さらに、図４の例では、可動部１１における壁面部１１ｃの外側に第１の窓部１１ａが設けられ、壁面部１１ｃの内側に斜面１１ｅが形成されている。この斜面１１ｅもまた、後に説明するように、支持壁１２ｄを透過した光を第１の窓部１１ａに集めることができる。これにより、第１の窓部１１ａを明るく点灯させることができる。
【００５９】
また、壁面部１１ｃの内側を垂直面１１ｆとしてもよい。図５は、可動部付電子部品１０の構成の第３の例を示す断面図である。図５に示す断面も、図１に示した可動部付電子部品１０を、第１の窓部１１ａの中心を通るｘ−ｙ平面で切断した場合の断面図である。
【００６０】
図５の構成においても、軸受壁１３ｃが第１の空間側に突き出ることにより、軸受壁１３ｃと回転軸１１ｂの隙間から、回路基板１６が存在する第２の空間に液体が侵入することをより確実に防止することができる。
【００６１】
また、ベゼル１２の支持壁１２ｄは、壁面部１３ａから突き出た軸受壁１３ｃの側面上に配置すればよい。そのため、支持壁１２ｄの配置位置を柔軟に決定することができる。
【００６２】
つぎに、図３〜図５に示した可動部付電子部品１０の各構成における第１の窓部１１ａの輝度について説明する。図６は、図５に示した可動部付電子部品１０における第１の窓部１１ａの輝度を示す図である。図７は、図４に示した可動部付電子部品１０における第１の窓部１１ａの輝度を示す図である。そして、図８は、図３に示した可動部付電子部品１０における第１の窓部１１ａの輝度を示す図である。
【００６３】
図６〜図８には、第１の窓部１１ａがベゼル１２の開口部１２ｃの中央に位置する場合の輝度の値（横軸の０ｍｍ付近の値）、可動部１１が開口部１２ｃの中央から所定の角度だけ回転した場合の輝度の値（横軸の７ｍｍ付近の値）、および、可動部１１が開口部１２ｃの中央から所定の角度だけ逆回転した場合の輝度の値（横軸の−７ｍｍ付近の値）が示されている。
【００６４】
図６、図７に示すように、図４に示した可動部付電子部品１０の第１の窓部１１ａにおける輝度は、図５に示した可動部付電子部品１０の第１の窓部１１ａにおける輝度のおよそ３倍となる。
【００６５】
また、図６、図８に示すように、図３に示した可動部付電子部品１０の第１の窓部１１ａにおける輝度は、図５に示した可動部付電子部品１０の第１の窓部１１ａにおける輝度のおよそ６倍となる。
【００６６】
このように、第１の窓部１１ａが点灯する際の輝度は、壁面部１１ｃの内側にレンズ１１ｄが形成されている図３に示した可動部付電子部品１０が最も大きく、壁面部１１ｃの内側に斜面１１ｅが形成されている図４に示した可動部付電子部品１０が次に大きいことがわかる。
【００６７】
このようなことから、図３〜図５に示した構成のうち、第１の窓部１１ａが点灯する際に要求される輝度に応じて適切なものを選択し、可動部付電子部品１０を製造することができる。
【００６８】
（実施形態２）
上記実施形態１では、第１の窓部１１ａを光源１６ａが照明し、第２の窓部１２ａを光源１６ｂが照明することとしていたが、光源１６ａが第１の窓部１１ａと第２の窓部１２ａの両方を照明することとして、光源の数を減らすこととしてもよい。
【００６９】
これにより、部品点数を減らしつつ、可動部１１に形成された第１の窓部１１ａ、および、ベゼル１２に形成された第２の窓部１２ａのそれぞれを点灯させる可動部付電子部品を実現することができる。以下、本実施形態に係る可動部付電子部品１０について詳しく説明する。
【００７０】
実施形態１で説明した可動部付電子部品１０と同様に、本実施形態に係る可動部付電子部品１０も、図１に示すような可動部１１、ベゼル１２、第１筐体部材１３、第２筐体部材１４、第３筐体部材１５、回路基板１６、スライダー１７、クリックバネ１８、防水ゴム１９を備える。
【００７１】
図９は、本発明の実施形態２に係る可動部付電子部品１０の構成の一例を示す断面図である。図９に示す断面は、図１に示した可動部付電子部品１０を、第１の窓部１１ａの中心を通るｘ−ｙ平面で切断した場合の断面図である。
【００７２】
なお、図９においては、図３で説明した部材と同様の部材については同一の符号を付すこととし、それらの部材については詳細な説明を省略する。
【００７３】
図９に示した可動部付電子部品１０と図３に示した可動部付電子部品１０との違いは、図９に示した可動部付電子部品１０では、光源１６ｂがなく、光源１６ａが、第１の窓部１１ａと第２の窓部１２ａの両方を照明する点である。
【００７４】
可動部１１は、光源１６ａからの光を透過する透過性部材（例えば、透明なＡＢＳ樹脂）により形成される。そして、第１の窓部１１ａからのみ光源１６ａからの光が透過するよう、ベゼル１２の開口部１２ｃから突き出る可動部１１の外側表面のうち、第１の窓部１１ａ以外の部分が黒く塗装される。
【００７５】
また、ベゼル１２も、光源１６ａ、１６ｃからの光を透過する透過性部材（例えば、透明なＡＢＳ樹脂）により形成される。そして、第２の窓部１２ａ、および、第３の窓部１２ｂからのみ光源１６ａ、および、光源１６ｃからの光がそれぞれ透過するよう、第２の窓部１２ａ、および、第３の窓部１２ｂ以外のベゼル１２外側の表面部分が黒く塗装される。
【００７６】
そして、この可動部付電子部品１０では、光源１６ａと第２の窓部１２ａとの間に光の進行を妨げるものはないため、光源１６ａから出た光は、第２の窓部１２ａを照明する。これにより、第２の窓部１２ａが点灯する。
【００７７】
一方、光源１６ａと第１の窓部１１ａとの間には、ベゼル１２を支持する支持壁１２ｄ、および、外周が円弧状の壁面部１１ｃが存在する。ここで、支持壁１２ｄは、ベゼル１２の一部であり、壁面部１１ｃは可動部１１の一部である。
【００７８】
ベゼル１２は、光源１６ａからの光を透過するＡＢＳ樹脂などの透過性部材により形成されるため、支持壁１２ｄは光源１６ａから出た光を透過する。また、可動部１１も、光源１６ａからの光を透過するＡＢＳ樹脂などの透過性部材により形成されるため、壁面部１１ｃは光源１６ａから出た光を透過する。
【００７９】
そのため、光源１６ａから出た光は、第１の窓部１１ａを照明する。これにより、光源の数を減らしつつ、第２の窓部１２ａと第１の窓部１１ａの両方を点灯させることができる。
【００８０】
また、回路基板１６が存在する第２の空間は、支持壁１２ｄ、可動部１１、壁面部１３ａにより可動部１１の本体部分が存在する第１の空間と分離されているので、たとえ第１の空間に液体が侵入したとしても、それが第２の空間まで侵入することを防止することができる。
【００８１】
このように、本実施形態に係る可動部付電子部品１０では、ベゼル１２と可動部１１との間の隙間から液体が侵入することを防止できるとともに、光源１６ａの数を減らしつつ、可動部１１に設けられた第１の窓部１１ａ、および、ベゼル１２に設けられた第２の窓部１２ａのそれぞれを点灯させることができる。
【００８２】
また、実施形態１と同様に、本実施形態に係る可動部付電子部品１０における支持壁１２ｄも、可動部１１がある第１の空間から、回路基板１６がある第２の空間に液体が侵入することを防止するものであるとともに、可動部１１に設けられた第１の窓部１１ａを点灯させるものである。
【００８３】
そのため、第１の窓部１１ａに光を導く透過性部材を、分離壁と独立に設ける必要がなくなる。よって、可動部付電子部品１０の内部空間が狭くならないようにしつつ、防水を効果的に行うことができる。
【００８４】
また、壁面部１３ａには、可動部１１の回転軸１１ｂを回転可能に外側から支持する円筒状の軸受壁１３ｃが、壁面部１３ａの本体部分から、可動部１１がある第１の空間側に突き出るように形成されている。
【００８５】
このように、軸受壁１３ｃが第１の空間側に突き出ることにより、流体が第２の空間に侵入するために必要な移動距離が長くなるので、軸受壁１３ｃと回転軸１１ｂの隙間から、回路基板１６が存在する第２の空間に液体が侵入することをより確実に防止することができる。
【００８６】
また、ベゼル１２の支持壁１２ｄは、壁面部１３ａから突き出た軸受壁１３ｃの側面上に配置すればよい。そのため、支持壁１２ｄの配置位置を柔軟に決定することができる。
【００８７】
例えば、支持壁１２ｄの配置位置を第１の空間側に移動させることとすれば、第２の空間をより広くすることができ、光源１６ａの配置等の設計の自由度をさらに増加させることができる。
【００８８】
また、図９の例では、可動部１１における壁面部１１ｃの外側に第１の窓部１１ａが設けられ、壁面部１１ｃの内側にレンズ１１ｄが形成されている。このレンズ１１ｄは、支持壁１２ｄを透過した光を第１の窓部１１ａに集めるものである。これにより、第１の窓部１１ａをより明るく点灯させることができる。
【００８９】
なお、壁面部１１ｃの内側にレンズ１１ｄを形成するのではなく、図４に示したように、壁面部１１ｃの内側に斜面１１ｅを形成することとしてもよいし、図５に示したように、垂直面１１ｆを形成することとしてもよい。
【００９０】
以上、上記実施形態１、２では、可動部１１が回転するダイヤルである場合について説明してきたが、可動部１１はこれに限定されるものではない。例えば、可動部１１は、シーソースイッチであってもよいし、押しボタンスイッチなどであってもよい。
【００９１】
可動部１１がこのようなスイッチであっても、光を第１の窓部１１ａに導く透過性部材を、分離壁と独立に設ける必要がないので、可動部付電子部品１０の内部空間ができるだけ狭くならないようにしつつ、効果的に防水を行うことができる。
【産業上の利用可能性】
【００９２】
本発明にかかる可動部付電子部品は、内部空間ができるだけ狭くならないようにしつつ、効果的に防水を行うことが求められる可動部付電子部品に用いるのに好適である。
【符号の説明】
【００９３】
１０  可動部付電子部品
１１  可動部
１１ａ  第１の窓部
１１ｂ  回転軸
１１ｃ  壁面部
１１ｄ  レンズ
１１ｅ  斜面
１１ｆ  垂直面
１２  ベゼル
１２ａ  第２の窓部
１２ｂ  第３の窓部
１２ｃ  開口部
１２ｄ  支持壁
１３  第１筐体部材
１３ａ  壁面部
１３ｂ  開口部
１３ｃ  軸受壁
１３ｄ  ターミナル
１４  第２筐体部材
１５  第３筐体部材
１５ａ  開口部
１６  回路基板
１６ａ〜１６ｃ  光源
１６ｄ  電極
１７  スライダー
１８  クリックバネ
１９  防水ゴム
【図１】
2015087366.tif 000003
【図２】
2015087366.tif 000004
【図３】
2015087366.tif 000005
【図４】
2015087366.tif 000006
【図５】
2015087366.tif 000007
【図６】
2015087366.tif 000008
【図７】
2015087366.tif 000009
【図８】
2015087366.tif 000010
【図９】
2015087366.tif 000011
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
光源と、
前記光源からの光を透過させる窓部が形成された可動部と、
前記可動部の動きに応じた信号を出力する回路基板と、
前記可動部の表面が突き出る開口部が形成され、前記光源、前記可動部、前記回路基板を収容する筐体と、を備え、
前記筐体は、前記可動部と組み合わされることにより、前記筐体の内部空間を第１の空間と第２の空間とに分離する分離壁を有し、該分離壁は、筐体の内面に固定され、前記可動部を可動可能に支持するものであり、
前記可動部は、前記第１の空間側から前記分離壁と組み合わされ、前記光源、および、前記回路基板は、前記第２の空間に配置され、
前記分離壁の一部は前記光源からの光を透過させる透過性部材により形成され、前記光源は、前記透過性部材を介して前記窓部を照明する、
可動部付電子部品。
【請求項２】
前記可動部は、外周が円弧状の壁面部を有する回転部材である請求項１に記載の可動部付電子部品。
【請求項３】
前記壁面部の外側に前記窓部が設けられ、前記壁面部の内側にレンズが形成された請求項２に記載の可動部付電子部品。
【請求項４】
前記壁面部の外側に前記窓部が設けられ、前記壁面部の内側に斜面が形成された請求項２に記載の可動部付電子部品。
【請求項５】
前記可動部には円筒状の回転軸が形成され、前記分離壁には前記回転軸を回転可能に外側から支持する円筒状の軸受壁が、前記分離壁の本体部分から前記第１の空間側に突き出るように形成され、前記分離壁の本体部分から突き出た前記軸受壁の側面は、前記透過性部材により形成された前記分離壁を支持する請求項２に記載の可動部付電子部品。
【請求項６】
前記第２の空間に前記光源とは別の光源が設けられ、前記筐体には、前記別の光源からの光を透過させる窓部が形成されている請求項１に記載の可動部付電子部品。
【請求項７】
前記筐体には、前記光源からの光を透過させる窓部が形成され、前記光源は、前記第２の空間において前記筐体に形成された窓部を照明するとともに、前記透過性部材を介し、前記第１の空間において前記可動部に形成された窓部を照明する請求項１に記載の可動部付電子部品。
【請求項８】
前記筐体は、少なくとも２つの部材を組み合わせて構成され、該２つの部材の間にシール材を有する請求項１に記載の可動部付電子部品。
【国際調査報告】
2015087366.tif 000012
2015087366.tif 000013
2015087366.tif 000014